(57)【要約】【課題】吸込グリルからスライド式ロック片を取り外した場合でも、吸込グリルの桟に欠落部が残ることがなく、低コストで組み立てを容易とする。【解決手段】化粧パネル７と、化粧パネル７にヒンジ結合される吸込グリル９と、を備えた空調装置において、　吸込グリル９に形成された桟９ａに沿って摺動し、吸込グリルの側面からその一部が突出し、化粧パネル７の係止部３５に係止される可能にスライド式ロック装置を設ける。このスライド式ロック装置は、吸込グリル９に形成されたボス部にねじ１０５を介して摺動可能に支持されたスライド式ロック片１０１と、スライド式ロック片の側方に形成されたたわみ片１０１ｃと、たわみ片１０１ｃの自由端に桟９ａの係合用切欠９ｂに係合する係合突起１０１ｄと、が設けられている。【選択図】　　　図３
2004092998.tif 000002
【特許請求の範囲】
【請求項１】
化粧パネルに着脱自在に固定される吸込グリルに形成されたガイドに沿って摺動し、前記吸込グリルの側面からその一部が前記化粧パネルの係止部内に突出可能に設けられるスライド式ロック装置であって、
吸込グリルに形成されたボス部にねじを介して摺動可能に支持されたスライド式ロック片と、
前記スライド式ロック片の側方に形成されたたわみ片と、
前記たわみ片の自由端に前記ガイドに係合する係合突起と、
を備えたことを特徴とするスライド式ロック装置。
【請求項２】
請求項１記載のスライド式ロック装置において、
前記ボス部は、スライド式ロック装置毎に一つ設けられ、
前記スライド式ロック片には、前記ねじを挿入するためのねじ孔が略中央に設けられている、
ことを特徴とするスライド式ロック装置。
【請求項３】
請求項１または請求項２記載のスライド式ロック装置において、
前記スライド式ロック片には、前記ガイドに当接するリブが設けられていることを特徴とするスライド式ロック装置。
【請求項４】
化粧パネルと、
前記化粧パネルにヒンジ結合される吸込グリルと、
請求項１ないし請求項３のいずれかに記載のスライド式ロック装置と、を備え、
前記スライド式ロック片の一部が、前記化粧パネルの係止部に係止される、
ことを特徴とする空気調和装置。
【請求項５】
請求項４記載の空気調和装置において、
前記ガイドは、前記吸込グリルの桟として形成されていることを特徴とする空気調和装置。
【発明の詳細な説明】
【０００１】
【発明の属する技術分野】
本発明は、スライド式ロック装置および吸込グリルを有する空気調和装置に係り、特に空気調和装置の吸込グリルに設けられたスライド式ロック装置の改良技術に関する。
【０００２】
【従来の技術】
一般に、化粧パネルにヒンジ結合されるとともに、この化粧パネルの係止部に係止されるスライド式ロック装置を有する吸込グリルを備えた空気調和装置が知られている。この種のスライド式ロック装置では、吸込グリルの桟に直交する方向にスライド式ロック装置を構成するスライド式ロック片をスライドさせるための欠落部を形成して、この欠落部にスライド式ロック片をスライド自在に装着するようにしている。
【０００３】
【発明が解決しようとする課題】
しかしながら、従来の構成では、吸込グリルからスライド式ロック片を取り外した場合に、吸込グリルの桟に前述した欠落部が残るという問題がある。そのために、スライド式ロック片の装着を必要とする吸込グリルにおいては欠落部が目立たないので問題はないが、このスライド式ロック片の装着を必要としない吸込グリルにあっては欠落部が目立ち過ぎるので、両方のグリルの兼用化を図ることはできないという問題がある。
【０００４】
また、スライド式ロック装置は、製造的な観点からすれば、低コストかつ組み立てが容易であることが望ましい。
【０００５】
そこで、本発明の目的は、吸込グリルからスライド式ロック片を取り外した場合でも、吸込グリルの桟に欠落部が残ることがなく、低コストで組み立てが容易なスライド式ロック装置および空気調和装置を提供することにある。
【０００６】
【課題を解決するための手段】
上記課題を解決するため、化粧パネルに着脱自在に固定される吸込グリルに形成されたガイドに沿って摺動し、前記吸込グリルの側面からその一部が前記化粧パネルの係止部内に突出可能に設けられるスライド式ロック装置であって、吸込グリルに形成されたボス部にねじを介して摺動可能に支持されたスライド式ロック片と、前記スライド式ロック片の側方に形成されたたわみ片と、前記たわみ片の自由端に前記ガイドに係合する係合突起と、を備えたことを特徴としている。
【０００７】
この場合において、前記ボス部は、スライド式ロック装置毎に一つ設けられ、前記スライド式ロック片には、前記ねじを挿入するためのねじ孔が略中央に設けられているようにしてもよい。
【０００８】
また、前記スライド式ロック片には、前記ガイドに当接するリブが設けられているようにしてもよい。
【０００９】
また、空気調和装置は、化粧パネルと、前記化粧パネルにヒンジ結合される吸込グリルと、上記いずれかのスライド式ロック装置と、を備え、前記スライド式ロック片の一部が、前記化粧パネルの係止部に係止される、ことを特徴としている。
【００１０】
この場合において、前記ガイドは、前記吸込グリルの桟として形成されているようにしてもよい。
【００１１】
【発明の実施の形態】
次に本発明の好適な実施の形態を図面を参照して説明する。
【００１２】
図１は、実施形態の空気調和装置の断面図である。
【００１３】
空気調和装置５０は、いわゆる４方向天井カセット型エアコンと呼ばれるものである。
【００１４】
この空気調和装置５０は、天井内部１に収納される板金製の本体２と、中央に吸込口３を有し、外周部の４辺に吹出口４を有し、天井穴５を塞ぐように天井面６に設けられる化粧パネル７と、中央に吸気口８を有する吸込グリル９とを備える。　さらに空気調和装置は送風機１０を備えており、この送風機１０はターボファン１１と、天板１２に取り付けられたファン用モータ１３とを備えている。
【００１５】
ここで、ノズル口１４は吸気口８からの空気をターボファン１１に案内する。また、ドレンパン１５は、内側立上がり部１５ａと外側立上がり部１５ｂとを有し、角張った環形状に発泡スチロールで形成されている。プレートフィン型熱交換器１６は、ターボファン１１の吐出側にこのファンを取り囲むように環状に配置されている。また、断熱材１７は、本体２の周囲に巻かれており、導風部２１は、熱交換器１６で熱交換された空気を吹出口４へ導いている。さらに、吊りボルト２２は本体２を吊り具２３で天井梁に吊り下げる。さらにまた、空気清浄用のフィルタ２４は吸込グリル下流側に取付けらている。
【００１６】
図２は、吸込グリルを開けた状態を示す斜視図である。
【００１７】
図２に示すように、化粧パネル７の一辺にはヒンジ２５を介して吸込グリル９が開閉自在に取付けられ、この吸込グリル９には、フィルター押え２７により押さえられた状態で、フィルター２４が取外し自在に装着される。
【００１８】
ところで、空気調和機５０においては、例えばこのフィルター２４のメンテナンス等のために、その都度、吸込グリル９が開閉されることとなる。
【００１９】
本実施形態においては、ヒンジ２５を介して吸込グリル９が回動され、吸込グリル９が閉じられた時には、吸込グリル９に設けられた一対のスライド式ロック装置１００を構成するスライド式ロック片１０１（図３参照）が、化粧パネル７の係止部（穴）３５に係止されることにより、吸込グリル９は化粧パネル７に固定される。
【００２０】
図３はスライド式ロック装置周辺の正面図である。図４はスライド式ロック装置の周辺の側断面図である。図５は、スライド式ロック片の断面図である。
【００２１】
スライド式ロック装置１００を構成するスライド式ロック片１０１は、図３に示すように、吸込グリル９の桟９ａ，９ａの間に沿って矢印Ａ方向へスライド可能に形成される。
【００２２】
ここで、吸込グリル９へのスライド式ロック装置１００の取付け状態を説明する。
【００２３】
吸込グリル９の裏側には、ボス部１０２が一体に成形されている。そしてこのボス部１０２に、ワッシャ１０３を介してスライド式ロック片１０１がねじ１０５により摺動可能に固定される。
【００２４】
スライド式ロック片１０１は、樹脂製で略長方形状を呈している。スライド式ロック片１０１の略中央部には、長孔形状のねじ孔１０１ａが形成されている。
【００２５】
またスライド式ロック片１０１の下面には、スライド式ロック片１０１を矢印Ａ方向に摺動させる際に操作者が用いるつまみ部１０６が吸込グリルのつまみ用孔９ｃから下方に突出するように立設されている。
【００２６】
また、スライド式ロック片１０１の両側方には、一端が自由端１０１ｂとなるようにたわみ片１０１ｃが形成されている。
【００２７】
さらに、スライド式ロック片１０１のたわみ片１０１ｃの非形成部分には、両側方に摺動時に吸込グリル９の桟９ａに当接してがたつきを防止するリブ１０７が形成されている。
【００２８】
たわみ片１０１ｃの自由端１０１ｂには、吸込グリル９の桟９ａに形成された係合切欠９ｂに係合可能に係合突起１０１ｄが設けられている。
【００２９】
たわみ片１０１ｃは、図３の状態から操作者がつまみ部１０６をつまんで矢印Ａ方向にスライド式ロック片１０１を摺動させると、たわむこととなる。これにより、吸込グリル９の周囲側の係合切欠９ｂに係合していた係合突起１０１ｄが係合切欠９ｂの側壁を乗り越え、吸込グリル９の桟９ａに当接した状態となる。そして、さらに矢印Ａ方向にスライド式ロック片１０１を摺動させると、たわみ片１０１ｃの弾性力により再び係合突起１０１ｄが吸込グリル９の中央側の係合切欠９ｂに係合する。このとき、クリック音が発生し、操作者は、いわゆる操作上のクリック感が得られるようになっている。
【００３０】
ところで、空気調和装置の搬送時には、搬送時に吸込グリル９が誤って開いたりしないように、スライド式ロック片１０１を固定することが望ましい。そこで、スライド式ロック片１０１に、図示しない固定ねじ用孔を設け、スライド式ロック片１０１を突出させた状態で、吸込グリル９に図示しない固定用ねじにより、スライド式ロック片１０１をしっかりと固定するようにされている。これにより、搬送時にスライド式ロック片１０１が化粧パネル７の係止部（穴）３５から抜け出る等のトラブルを未然に防止することができる。
【００３１】
本実施形態によれば、スライド式ロック片１０１の固定は、ボス部１０２に対し、ワッシャ１０３およびねじ１０５を用いて固定するだけでの良いので、いわゆる特殊部品を用いる必要もなく、部品点数を必要最低限として製造コストおよび製造の手間を軽減することができる。
【００３２】
また、操作上のクリック感を出すためのたわみ片１０１ｃをスライド式ロック片１０１ｃの側方に設けたので、スライド式ロック装置１００の厚みを押さえ、薄型化を図ることができる。
【００３３】
さらに、吸込グリル９の桟９ａ，９ａに対して欠落部を設けないので、吸込グリル９からスライド式ロック装置１００を取り外したとしても、吸込グリル９の桟９ａ，９ａに欠落部は生じないので、スライド式ロック装置１００の装着を必要としない場合であっても、同一形式の吸込グリル９を用いることができる。
【００３４】
【発明の効果】
本発明によれば、スライド式ロック装置の部品点数を必要最小限とし、組み立ても容易であるので、製造コストおよび製造の手間を軽減できる。
【００３５】
また、スライド式ロック装置の薄型化、ひいては、空気調和装置の薄型化を図ることができる。
【図面の簡単な説明】
【図１】実施形態の空気調和装置の断面図である。
【図２】吸込グリルを開けた状態を示す斜視図である。
【図３】スライド式ロック装置周辺の正面図である。
【図４】スライド式ロック装置の周辺の側断面図である。
【図５】スライド式ロック片の端面図である。
【符号の説明】
７　化粧パネル
９　吸込グリル
９ａ　桟（ガイド）
３５　係止部
５０　空気調和機
１００　スライド式ロック装置
１０１　スライド式ロック片
１０１ａ　ねじ孔
１０１ｂ　自由端
１０１ｃ　たわみ片
１０２　ボス部
１０３　ワッシャ
１０５　ねじ
１０６　つまみ部
１０７　リブ
【図１】
2004092998.tif 000003
【図２】
2004092998.tif 000004
【図３】
2004092998.tif 000005
【図４】
2004092998.tif 000006
【図５】
2004092998.tif 000007